(57)【要約】【課題】発光素子から生ずる光を減衰させることなく口腔内を常に明るく照らし出すことができ口中の観察を容易にして口腔内を清潔に保持できるようになした歯ブラシを提供する。【解決手段】把持部２０と、当該把持部２０に対し着脱可能な構造を有すると共に、ブラシ毛１２を植設してなる研磨部１０とからなる歯ブラシ１において、前記把持部２０の内部に発光素子３０および電装部２１を配設し、ブラッシング時に、当該発光素子３０から照射される光を前記把持部２０に設けた透明窓部２２から外部に出射可能にした。【選択図】図１
0003196086.tif 000002
【実用新案登録請求の範囲】
【請求項１】
把持部と、当該把持部に対し着脱可能な構造を有すると共に、ブラシ毛を植設してなる研磨部とからなる歯ブラシにおいて、前記把持部の内部に発光素子および電装部を配設し、ブラッシング時に、当該発光素子から照射される光を前記把持部に設けた透明窓部から外部に出射可能にしたことを特徴とする歯ブラシ。
【請求項２】
前記発光素子の周囲に光の反射手段を設けた請求項１に記載の歯ブラシ。
【請求項３】
前記透明窓部に光透過性に優れた特性を示現する透明合成樹脂プレートを取付けてある請求項１または請求項２に記載の歯ブラシ。
【考案の詳細な説明】
【技術分野】
【０００１】
本考案は歯ブラシに関するもので、特に発光素子を具備した歯ブラシの改良に関する。
【背景技術】
【０００２】
口腔内を清潔に保持するために行う歯磨きの際に、効果的に光を照射することができる歯ブラシが下記の特許文献１に開示されている。
【０００３】
特許文献１に開示された歯ブラシは、多数のブラシ毛が植設された植毛面を有するヘッド部と、当該植毛面に形成され、ヘッド部内の光を出射させる出光部と、前面を上記出光部に対向させてヘッド部内に配置され、上記出光部内における出射光量の分布を調整する透明部材からなる出光調整手段と、上記出光調整手段の側面へ入射させる光を生成する光源装置とを備え、上記出光調整手段は、その前面及び背面が平滑な境界面からなり、上記背面には入射した上記光を乱反射させる多数の拡散パターンが形成されている構成となっている。
【先行技術文献】
【特許文献】
【０００４】
【特許文献１】特許第３８１３９７８号公報
【考案の概要】
【考案が解決しようとする課題】
【０００５】
前記した特許文献１に開示された歯ブラシにおいては、ブラッシング時に手で握るハンドル部内に光源装置を内蔵してあり、当該光源装置による照射光はハンドル部、ネック部およびヘッド部内に形成された導光部を経由してヘッド部内に送られヘッド部内に設けた光を拡散する機構などによって光を乱反射させながらヘッド部に設けられた出光部から放射される。そのため、光源装置からの光が各部で減衰し、口腔内に十分な光量を供給できないという問題点がある。
【０００６】
また、多数のブラシ毛が植設された植毛面を有するヘッド部に出光部が設けられているため、当該出光部を開口とした場合は、当該開口を通じてブラッシング時に生じる歯磨き粉などが混じった液体がヘッド部内に入り、ネック部を通じて光源装置が内蔵されているハンドル部内に入り込んで光源装置の劣化を早めるとういう問題点がある。
【０００７】
本考案は前記した従来の光源装置を具備した歯ブラシの問題点を解決するためになされたものであり、その目的は、発光素子から生ずる光を減衰させることなく口腔内を常に明るく照らし出すことができ口中の観察を容易にして口腔内を清潔に保持できるようになした歯ブラシを提供することにある。
【課題を解決するための手段】
【０００８】
上記課題を解決するための本考案の構成を詳述すれば、請求項１に係る考案は、把持部と、当該把持部に対し着脱可能な構造を有すると共に、ブラシ毛を植設してなる研磨部とからなる歯ブラシにおいて、前記把持部の内部に発光素子および電装部を配設し、ブラッシング時に、当該発光素子から照射される光を前記把持部に設けた透明窓部から外部に出射可能にしたことを特徴とする歯ブラシである。
【０００９】
請求項２に係る考案は、前記発光素子の周囲に光の反射手段を設けた請求項１に記載の歯ブラシである。
【００１０】
さらに、請求項３に係る考案は、前記透明窓部に光透過性に優れた特性を示現する透明合成樹脂プレートを取付けてある請求項１または請求項２に記載の歯ブラシである。
【考案の効果】
【００１１】
上記したように、本考案に係る歯ブラシによれば、把持部と、ブラシ毛を植設してなる研磨部は着脱可能な構造となっており、繰り返し使用可能な把持部内に発光素子および電装部を配設してあるので、研磨部が劣化したときは、新たな研磨部を装着することにより長きに亘って使用することができ経済的にきわめて有利である。
【００１２】
また、発光素子から照射される光を外部に出射する透明窓部にポリエチレンテレフタレート樹脂などの光透過性に優れた合成樹脂プレートを取付けた場合は、ブラッシング時に口腔内を明るく照らすことができ、歯の衛生保持に大きな効果が得られる。また、光の出射部に合成樹脂プレートが取付けられることによりブラッシング時に歯磨き粉などの混じった液体が把持部内に入り込むのを防ぐことができる。
【００１３】
さらに、把持部に減菌作用や歯の漂白に有用な紫外光ないし青色光を発光する発光素子を配設すれば歯を白くし口中を減菌することが可能となり、把持部に白色光を発光する発光素子を配設すれば口中を明視することが容易になり、歯磨きに便利な歯ブラシが実現する。
【図面の簡単な説明】
【００１４】
【図１】本考案に係る歯ブラシの一実施形態を示す平面図である。
【図２】図１のＡ−Ａ断面図である。
【図３】本考案に係る歯ブラシの他の実施形態を示す斜視図である。
【図４】図３のＢ−Ｂ断面図である。
【考案を実施するための形態】
【００１５】
以下、本考案に係る歯ブラシの具体的構成を図示の実施形態に基づき詳細に説明する。なお、実施形態は下記のものに限定されるものではない。
【００１６】
図１および図２に示す実施形態の歯ブラシ１は、ブラシ毛１２を植設した研磨部１０と、歯を磨こうとする者が手で握る把持部２０とから構成される。研磨部１０と把持部２０は一体成形ではなく、研磨部１０の下面側に設けてある突片１１を、把持部２０の上端部に設けてある凹部内に嵌着することにより結合できる構造となっている。このように結合部Ｃで着脱可能に、すなわち研磨部１０の使い捨てが可能なように構成されている。
【００１７】
把持部２０は、歯ブラシ１で歯を磨く動作が容易なように細長く形成され、内部には、発光素子３０と、当該発光素子３０から発光される光を外部に導光するための透明窓部２２と、後述する反射手段２３と、電池および動作を開閉するスイッチなどを備えた電装部２１を備えている。
【００１８】
発光素子３０は実施例では青色ＬＥＤ（Ｌｉｇｈｔ  Ｅｍｉｔｔｉｎｇ  Ｄｉｏｄｅ）であるが、歯ブラシ１の目的に応じて、例えば白色ＬＥＤや赤外光ＬＥＤであってもよい。透明窓部２２は発光素子３０が発光する青色光を外部に導光するために、ポリエチレンテレフタレート樹脂などの光透過性に優れた合成樹脂プレート材を用い、把持部２０の壁面に形成されている。
【００１９】
次に、図２を用いて本考案に係る歯ブラシの内部の構造を説明する。図２は図１ に示す歯ブラシ１ のＡ−Ａ断面図であって、説明のためＡ−Ａ断面に現れないブラシ毛１２も点線で示してある。
把持部２０に設けられた反射手段２３は、発光素子３０の発光面以外の面を覆い、光を効果的に外部に導出させる。
【００２０】
反射手段２３は、実施例では矩形の容器の内面にアルミ蒸着などの手段によって反射膜を形成したものであり、この容器の中心近辺に発光素子３０を固定するものである。なお、反射手段２３の形状をお椀型にして更に導光効率を向上させることも可能である。
【００２１】
図２に示すように、研磨部１０は突片１１を具備しており、把持部２０の上端部に設けてある凹部内に嵌め込む構造とすることで、研磨部１０を交換可能としている。また、発光素子３０は、リード線２４によって電装部２１から電源を供給される。
【００２２】
研磨部１０はブラシ毛１２の劣化に伴い頻繁に交換されるので、発光素子３０などの発光動作を行う要素は把持部２０に設け、交換対象から外すことで歯ブラシ１の運用費用を低減できるようになっている。
【００２３】
次に、図３を用いて本考案の歯ブラシの他の実施形態の構造を説明する。図３は本考案に係る歯ブラシ２の構造を示す斜視図である。
図３に示すように、本発明による歯ブラシ２は、研磨部１０１に円盤状のブラシ毛１２１が多層状に形成され、一般に「３６０度歯みがき」として知られている構造になっており、研磨部１０１に着脱自在に結合された把持部２０１を掌で握り、研磨部１０１を口中に入れ、ブラシ毛１２１を回転させて歯を磨く。
【００２４】
把持部２０１の上部、すなわち研磨部１０１と把持部２０１との結合部Ｃに近い部分には、透明窓部２２１が設けられ、把持部２０１の内部に固定された発光素子３０から発光される光を外部に導出させる。
【００２５】
以下、図４を用いて当該実施形態に係る歯ブラシ２の内部の構造を説明する。
図４に示すように、円盤状の複数のブラシ毛１２１を備えた研磨部１０１は中心部に空洞Ｕを備えた円筒形状であって、この空洞部Ｕに把持部２０１の上端部に突設した支持柱２２２を挿着し、研磨部１０１を回転可能かつ研磨部１０１を交換可能としている。
なお、歯ブラシ２のその他の要素は前記した実施形態における歯ブラシ１と同様なので詳細な説明は省略する。
【００２６】
以上のように、本考案によれば、歯を白くする上で、また口中を減菌すること、あるいはブラッシングの際の口腔内の観察などにおいて、極めて便利な歯ブラシが実現する。
【符号の説明】
【００２７】
１：歯ブラシ
２：歯ブラシ
１０：研磨部
１１：突片
１２：ブラシ毛
２０：把持部
２１：電装部
２２：透明窓部
２３：反射手段
２４：リード線
３０：発光素子
１０１：研磨部
１２１：ブラシ毛
１４１：反射手段
２０１：把持部
２１１：電装部
２２１：透明窓部
２２２：支持柱
Ｃ：結合部
Ｕ：空洞部
【図１】
0003196086.tif 000003
【図２】
0003196086.tif 000004
【図３】
0003196086.tif 000005
【図４】
0003196086.tif 000006